【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、開口絞り、正の屈折力の第３レンズ群、正の屈折力の第４レンズ群より構成され、広角端から望遠端へのズーミングに際し、前記第１レンズ群は不動であり、前記第１レンズ群と前記第２レンズ群の間隔が増大し、前記第２レンズ群と前記第３レンズ群の間隔が減少するように、前記第２、第４レンズ群が移動するズームレンズにおいて、前記第１レンズ群は、物体側から像側へ順に、負レンズ、正レンズ、負レンズ、正レンズ、正レンズからなり、前記第３、第４レンズ群は２つ以上のレンズからなり、前記第１、第３レンズ群の焦点距離を各々ｆ１、ｆ３、広角端における全系の焦点距離をｆｗ、前記第１レンズ群の光軸上の厚さをＴ１、広角端における前記第１レンズ群と前記第２レンズ群の主点間隔をＨ１２とするとき、
−５．０＜Ｈ１２/ｆｗ＜−０．２
１．５＜ｆ１/ｆ３＜４．０
２．０＜Ｔ１/ｆｗ＜１０．０
なる条件式を満足することを特徴とするズームレンズ。
【請求項２】
広角端における空気換算でのバックフォーカスをＢＦｗとするとき、
０．５＜ＢＦｗ／ｆｗ＜１０．０
なる条件式を満足することを特徴とする請求項１に記載のズームレンズ。
【請求項３】
全系のレンズ全長をＴＤとするとき、
１５．０＜ＴＤ／ｆｗ＜４０．０
なる条件式を満足することを特徴とする請求項１又は２に記載のズームレンズ。
【請求項４】
前記第２レンズ群の広角端と望遠端の光軸上での位置の差をＭ２、前記第３レンズ群の広角端と望遠端の光軸上の位置の差をＭ３とするとき、
０．０≦｜Ｍ３／Ｍ２｜＜１．５
なる条件式を満足することを特徴とする請求項１乃至３のいずれか一項に記載のズームレンズ。
【請求項５】
前記第３レンズ群の広角端と望遠端の光軸上の位置の差をＭ３とするとき、
０．０≦｜Ｍ３｜／ｆｗ＜１０．０
なる条件式を満足することを特徴とする請求項１乃至４のいずれか一項に記載のズームレンズ。
【請求項６】

５．０＜ｆ１／ｆｗ＜１５．０
なる条件式を満足することを特徴とする請求項１乃至５のいずれか一項に記載のズームレンズ。
【請求項７】
広角端と望遠端における前記第２レンズ群の横倍率を各々β２ｗ、β２ｔ、広角端と望遠端における前記第３レンズ群の横倍率を各々β３ｗ、β３ｔとするとき、
１．０＜（β２ｔ／β２ｗ）／（β３ｔ／β３ｗ）＜５．０
なる条件式を満足することを特徴とする請求項１乃至６のいずれか一項に記載のズームレンズ。
【請求項８】
前記第２レンズ群の広角端と望遠端の光軸上での位置の差をＭ２、前記第２レンズ群の焦点距離をｆ２とするとき、
２．０＜｜Ｍ２／ｆ２｜＜３．５
なる条件式を満足することを特徴とする請求項１乃至７のいずれか一項に記載のズームレンズ。
【請求項９】
前記第３レンズ群の全部又は一部を光軸に対して垂直方向の成分を持つように移動させて、撮影画像を光軸に対して垂直方向に移動させることを特徴とする請求項１乃至８のいずれか一項に記載のズームレンズ。
【請求項１０】
前記開口絞りがズーミングに際して移動することを特徴とする請求項１乃至９のいずれか一項に記載のズームレンズ。
【請求項１１】
前記第２レンズ群は、物体側より像側へ順に、負レンズ、負レンズ、負レンズ、正レンズより成ることを特徴とする請求項１乃至１０のいずれか一項に記載のズームレンズ。
【請求項１２】
請求項１乃至１１のいずれか一項に記載のズームレンズと該ズームレンズによって形成された像を受光する撮像素子を有することを特徴とする撮像装置。
【手続補正２】
【補正対象書類名】明細書
【補正対象項目名】００１４
【補正方法】変更
【補正の内容】
【００１４】
図９は本発明の実施例５のズームレンズの広角端におけるレンズ断面図、図１０（Ａ），（Ｂ），（Ｃ）はそれぞれ実施例５のズームレンズの広角端、中間のズーム位置、望遠端における収差図である。図１１（Ａ），（Ｂ）はそれぞれ実施例１のズームレンズの広角端、望遠端における防振を行なっていない標準状態の横収差図である。図１２（Ａ），（Ｂ）はそれぞれ実施例１のズームレンズの広角端において３°の、望遠端において０．３°の防振時の横収差図である。図１３は本発明のズームレンズを搭載するビデオカメラ（撮像装置）の要部概略図である。
【手続補正３】
【補正対象書類名】明細書
【補正対象項目名】００５８
【補正方法】変更
【補正の内容】
【００５８】
数値実施例１
面データ
単位 mm
面データ
面番号       r        d      nd         νd
1       -380.702    1.35   1.90366    31.3 
2         38.575    3.15 
3        115.168    3.13   1.72916    54.7 
4       -188.992    0.18 
5         78.282    1.35   1.72825    28.5 
6         31.108    5.13   1.83481    42.7 
7       -601.451    0.18 
8         30.855    4.04   1.72916    54.7 
9      -1814.505  (可変) 
10        211.256    0.70   1.90366    31.3 
11          6.994    2.38 
12       -356.214    0.60   1.92286    18.9 
13         29.264    1.63 
14        -12.821    0.60   1.88300    40.8 
15       3087.761    0.20 
16         33.849    2.40   1.92286    18.9 
17        -16.448  (可変) 
18(絞り)    ∞     (可変) 
19*        10.785    2.82   1.58313    59.4 
20      -1000.000    6.35 
21         31.263    0.60   1.84666    23.9 
22          9.920    0.60 
23*        19.406    2.05   1.58313    59.4 
24       -101.225  (可変) 
25         10.346    3.50   1.51633    64.1 
26        -11.860    0.89   1.84666    23.9 
27        -27.227  (可変) 
28          ∞       0.50   1.54400    60.0 
29          ∞       2.87
像面        ∞
非球面データ
第19面
K =-6.89675e-001  A 4=-7.92673e-006  A 6= 1.10342e-007  A 8=-1.26501e-009
第23面
K =-1.03383e+000  A 4=-2.31662e-005
各種データ
ズーム比      9.85
広角     中間     望遠
焦点距離       3.52    15.88    34.66 
Fナンバー      1.85     2.61     2.88
半画角（度）  38.18    10.68     4.93
レンズ全長    90.32    90.32    90.32 
d 9            0.59    18.44    24.80 
d17           26.53     8.68     2.32 
d18            8.09     2.25     2.03 
d24            2.00     3.82     4.50 
d27            5.91     9.93     9.46 
ズームレンズ群データ
群  始面    焦点距離
1    1      35.52
2   10      -8.42
3   19      23.58
4   25      19.08
【手続補正４】
【補正対象書類名】明細書
【補正対象項目名】００５９
【補正方法】変更
【補正の内容】
【００５９】
数値実施例２
単位 mm
面データ
面番号       r        d      nd         νd
1        -99.101    1.35   1.90721    27.9 
2         37.844    1.82 
3         42.833    3.36   1.48749    70.4 
4        530.218    0.18 
5        126.072    0.55   1.90942    25.4 
6         63.150    4.15   1.88300    40.8 
7        -62.932    0.18 
8         39.838    3.57   1.88300    40.8 
9        343.830  (可変) 
10         68.427    0.70   1.91316    23.6 
11          7.135    2.50 
12        -42.334    0.60   1.90253    31.7 
13         22.079    1.77 
14        -12.259    1.44   1.88294    40.8 
15        -30.772    0.10 
16         53.054    2.28   1.92286    18.9 
17        -16.860  (可変) 
18(絞り)    ∞     (可変) 
19*        10.555    3.12   1.58313    59.4 
20*       -64.128    6.34 
21         59.706    1.00   1.79088    23.2 
22          7.065    1.10 
23*         8.610    4.43   1.58313    59.4 
24       -500.000  (可変) 
25          9.655    3.31   1.48749    70.4 
26        -14.871    1.10   1.92286    18.9 
27        -30.439  (可変) 
28          ∞       0.50   1.51633    64.1 
像面        ∞
非球面データ
第19面
K = 1.47680e-001  A 4=-7.21471e-005  A 6= 4.71537e-009  A 8=-2.68497e-009
第20面
K = 0.00000e+000  A 4= 4.26534e-005  A 6= 4.87450e-007 
第23面
K =-2.55240e-001  A 4=-5.41365e-006
各種データ
ズーム比     11.40
広角     中間     望遠
焦点距離       3.35    16.31    38.20 
Fナンバー      1.85     3.07     3.50
半画角（度）  42.11    10.52     4.53
像高           3.03     3.03     3.03 
レンズ全長    98.42    98.42    98.42 
d 9            0.50    23.04    31.08 
d17           32.88    10.34     2.30 
d18           10.19     2.28     2.17 
d24            5.90    10.22    10.50 
d27            3.52     7.10     6.93 
ズームレンズ群データ
群  始面    焦点距離
1    1      40.98
2   10      -9.40
3   19      20.49
4   25      19.61
【手続補正５】
【補正対象書類名】明細書
【補正対象項目名】００６０
【補正方法】変更
【補正の内容】
【００６０】
数値実施例３
単位 mm
単位 mm
面データ
面番号       r        d      nd         νd
1       -994.625    1.35   1.85997    32.6 
2         33.776    3.53 
3        191.930    2.56   1.81382    45.4 
4       -361.868    0.18 
5         36.909    1.35   1.90824    26.3 
6         30.666    4.21   1.55001    64.1 
7       -127.659    0.18 
8         42.705    3.08   1.74733    52.2 
9       -182.732  (可変) 
10        349.261    0.70   1.88299    40.8 
11          7.885    3.23 
12        -26.984    0.60   1.92286    18.9 
13       -110.745    1.16 
14        -16.571    0.60   1.88227    40.8 
15      -1925.456    0.23 
16         36.337    2.04   1.92286    18.9 
17        -22.749  (可変) 
18(絞り)    ∞     (可変) 
19*        12.991    3.57   1.58313    59.4 
20       -700.184    5.32 
21         27.478    0.60   1.84666    23.9 
22         11.227    0.66 
23*        17.366    2.37   1.58313    59.4 
24       -500.000  (可変) 
25         13.925    3.30   1.48749    70.4 
26        -22.518    1.10   1.84666    23.9 
27        -62.367  (可変) 
28          ∞       0.50   1.51633    64.1 
像面        ∞
非球面データ
第19面
K = 6.09674e-001  A 4=-7.30919e-005  A 6=-3.98760e-007  A 8=-4.94478e-009
第23面
K = 1.60236e+000  A 4=-6.13804e-005
各種データ
ズーム比     19.53
焦点距離       3.47    25.36    67.78    41.98    11.96 
Fナンバー      1.85     3.07     3.50     3.33     2.49
半画角（度）  41.12     6.81     2.56     4.13    14.22
像高           3.03     3.03     3.03     3.03     3.03 
レンズ全長   113.62   113.62   113.62   113.62   113.62 
d 9            0.50    23.11    31.17    28.02    12.35 
d17           33.15     4.73     2.48     2.87    14.20 
d18           20.88     8.30     2.35     5.40    10.92 
d24            7.65    18.73    22.70    18.42    23.91 
d27            9.00    16.31    12.48    16.47     9.82 
ズームレンズ群データ
群  始面    焦点距離
1    1      40.50
2   10      -9.34
4   19      25.27
5   25      30.62
【手続補正６】
【補正対象書類名】明細書
【補正対象項目名】００６１
【補正方法】変更
【補正の内容】
【００６１】
数値実施例４
単位 mm
面データ
面番号       r        d      nd         νd
1        -72.176    1.35   1.76700    30.6 
2         49.925    3.17 
3        533.858    3.27   1.71756    55.1 
4        -74.913    0.18 
5         49.996    1.35   1.54745    43.1 
6         29.995    5.94   1.48749    70.4 
7       -112.011    0.18 
8         32.296    4.02   1.72916    54.7 
9        714.717  (可変) 
10         41.271    0.70   1.71142    55.3 
11          6.512    3.07 
12       -122.871    0.60   1.92286    18.9 
13        -55.400    0.60 
14        -23.643    0.60   1.72916    54.7 
15         17.051    0.54 
16         11.776    1.69   1.92286    18.9 
17         23.221  (可変) 
18(絞り)    ∞       2.15 
19*        11.229    2.80   1.58313    59.4 
20      -1000.000    2.62 
21         24.582    0.60   1.84666    23.9 
22         12.000    0.60 
23*        22.519    2.01   1.58313    59.4 
24       -500.000  (可変) 
25         14.491    3.23   1.51633    64.1 
26        -10.716    0.60   1.84666    23.9 
27        -20.786  (可変) 
28          ∞       0.50   1.51633    64.1 
像面        ∞
非球面データ
第19面
K =-1.14265e-001  A 4=-4.17527e-005  A 6=-1.37092e-007  A 8=-4.85474e-009
第23面
K =-9.76842e-001  A 4=-6.57267e-005
各種データ
ズーム比      9.77
広角     中間     望遠
焦点距離       4.22    17.48    41.24 
Fナンバー      1.85     3.07     3.50
半画角（度）  35.66     9.83     4.20
像高           3.03     3.03     3.03 
レンズ全長    90.99    90.99    90.99 
d 9            0.50    20.07    27.04 
d17           29.36     9.79     2.82 
d24            9.13     3.68     4.08 
d27            9.64    15.08    14.69 
ズームレンズ群データ
群  始面    焦点距離
1    1      37.80
2   10      -8.00
3   19      21.69
4   25      22.38
【手続補正７】
【補正対象書類名】明細書
【補正対象項目名】００６２
【補正方法】変更
【補正の内容】
【００６２】
数値実施例５
単位 mm
面データ
面番号       r        d      nd         νd
1        -45.656    0.90   2.00060    25.5 
2         45.594    1.13 
3         50.301    4.21   1.52679    75.0 
4        -47.611    0.18 
5       2172.727    0.55   1.85258    22.8 
6         90.235    3.55   1.99334    26.0 
7        -76.694    0.18 
8         52.391    2.87   1.88300    40.8 
9       -147.508  (可変) 
10        228.099    0.70   1.91554    28.7 
11          7.638    3.75 
12*       -11.760    1.00   1.88300    40.8 
13*       -66.035    0.86 
14        -39.761    0.60   1.57730    40.1 
15       -195.558    1.03 
16       2922.226    2.01   2.00060    25.5 
17        -15.808  (可変) 
18(絞り)    ∞     (可変) 
19*        11.037    3.89   1.55332    71.7 
20*       -32.257    8.55 
21       -495.353    0.23   1.79143    21.6 
22          6.397    0.95 
23*         9.687    3.45   1.72685    54.8 
24*      -100.000  (可変) 
25*       -66.101    3.89   1.80205    46.4 
26         -5.051    1.10   1.77529    22.2 
27         -7.710  (可変) 
28          ∞       0.50   1.51680    64.2 
像面
非球面データ
第12面
K = 0.00000e+000  A 4=-6.81331e-005  A 6=-3.65398e-007  A 8= 1.91682e-008
第13面
K = 0.00000e+000  A 4=-1.39610e-004
第19面
K = 1.15570e-002  A 4=-6.40872e-005  A 6=-6.72903e-008  A 8=-2.87431e-009
第20面
K = 0.00000e+000  A 4= 7.35012e-005  A 6=-3.75867e-008 
第23面
K = 7.74399e-001  A 4= 4.93278e-005
第24面
K = 0.00000e+000  A 4= 1.22558e-005  A 6=-5.51779e-007 
第25面
K = 0.00000e+000  A 4=-1.01364e-003  A 6=-1.09648e-005  A 8=-2.42048e-007
各種データ
ズーム比     11.31
広角     中間     望遠
焦点距離       3.35    20.17    37.88 
Fナンバー      1.85     3.07     3.50
半画角（度）  42.12     8.54     4.57
像高           3.03     3.03     3.03 
レンズ全長    96.73    96.73    96.73 
d 9            0.50    22.47    30.32 
d17           32.10    10.13     2.28 
d18           11.77     2.62     4.88 
d24            2.32    13.35    11.93 
d27            3.97     2.10     1.25 
ズームレンズ群データ
群  始面    焦点距離
1    1      40.76
2   10     -12.77
3   19      20.38
4   25      10.32